(57)【要約】【課題】外観を自由に選択する機能を有する携帯端末装置を提供する。【解決手段】携帯端末装置は、所定の表示モジュールに所定の画像を表示する第１表示部１１と、第１表示部１１を制御する第１表示制御部１０５と、第１表示部１１を囲むように設けられ、有機ＥＬ（Ｅｌｅｃｔｒｏ−Ｌｕｍｉｎｅｓｃｅｎｃｅ）モジュールに所定の色または模様を表示する第２表示部１２と、第２表示部１２を制御する第２表示制御部１０６と、を備える。【選択図】図３
2010068076.tif 000002
【特許請求の範囲】
【請求項１】
所定の表示モジュールに所定の画像を表示する第１表示部と、
前記第１表示部を制御する第１表示制御部と、
前記第１表示部を囲むように設けられ、有機ＥＬ（Ｅｌｅｃｔｒｏ−Ｌｕｍｉｎｅｓｃｅｎｃｅ）モジュールに所定の色または模様を表示する第２表示部と、
前記第２表示部を制御する第２表示制御部と、を備えることを特徴とする携帯端末装置。
【請求項２】
前記第２表示部は、前記有機ＥＬモジュールの上層に設けられた透明基板を有する請求項１に記載の携帯端末装置。
【請求項３】
前記第２表示部は、複数の有機ＥＬモジュールのそれぞれに異なる色または模様を表示する請求項１または２に記載の携帯端末装置。
【請求項４】
前記第２表示部の表示方法に関する設定情報を受け付ける操作部をさらに備え、
前記第２表示制御部は、前記操作部によって受け付けられた設定情報に基づいて前記第２表示部を制御する請求項１乃至３の何れか１項に記載の携帯端末装置。
【請求項５】
前記第１表示部は、メインディスプレイと、前記メインディスプレイとは異なる面に設けられ、前記メインディスプレイより小さいサブディスプレイと、を有する請求項１乃至４の何れか１項に記載の携帯端末装置。
【発明の詳細な説明】
【技術分野】
【０００１】
本発明は、携帯端末装置に関し、特に、携帯電話として利用される携帯端末装置に関する。
【背景技術】
【０００２】
携帯電話などの携帯端末装置では、利便性だけでなく、外観のデザイン（筐体の色や模様など）によっても売れ行きが左右されることが知られている。従来の携帯電話では、筐体の一部（以下、「筐体部品」という）を取り替えることによって、携帯端末装置の外観を変更する機能が知られている。このような機能を利用する場合には、ユーザは、新しい筐体部品を購入する必要がある。
【０００３】
しかしながら、このような機能は、市販されている筐体部品を購入することが前提となっているので、外観の選択範囲は、市販されている筐体部品に限られている。したがって、ユーザは、外観を自由に選択することができない。
【特許文献１】特開２００７−１４７３８９号公報
【発明の開示】
【発明が解決しようとする課題】
【０００４】
本発明の目的は、外観を自由に選択する機能を有する携帯端末装置を提供することである。
【課題を解決するための手段】
【０００５】
本発明の第１態様によれば、
所定の表示モジュールに所定の画像を表示する第１表示部と、
前記第１表示部を制御する第１表示制御部と、
前記第１表示部を囲むように設けられ、有機ＥＬ（Ｅｌｅｃｔｒｏ−Ｌｕｍｉｎｅｓｃｅｎｃｅ）モジュールに所定の色または模様を表示する第２表示部と、
前記第２表示部を制御する第２表示制御部と、を備えることを特徴とする携帯端末装置が提供される。
【発明の効果】
【０００６】
本発明によれば、携帯端末装置の外観を自由に選択することができる。
【発明を実施するための最良の形態】
【０００７】
以下、本発明の実施例について図面を参照して説明する。なお、以下の実施例は、本発明の実施の一形態であって、本発明の範囲を限定するものではない。
【実施例１】
【０００８】
はじめに、本発明の実施例１について説明する。本発明の実施例１は、筐体を構成する有機ＥＬモジュールに筐体の色または模様を表示する携帯端末装置の例である。
【０００９】
まず、本発明の実施例１に係る携帯端末装置の構成について図１乃至図３を参照して説明する。図１は、本発明の実施例１に係る携帯端末装置の外観を示す斜視図である。図２は、本発明の実施例１に係る第２表示部１２の概略を示す概略図である。図３は、本発明の実施例１に係る携帯端末装置の機能構成を示すブロック図である。
【００１０】
図１（Ａ）に示すように、本発明の実施例１に係る携帯端末装置の第１面の上部には、メインディスプレイ１１１と、第２表示部１２ａと、が設けられている。第２表示部１２ａは、メインディスプレイ１１１を囲むように（すなわち、携帯端末装置の筐体として）設けられている。たとえば、メインディスプレイ１１１は、液晶ディスプレイである。
【００１１】
図１（Ａ）に示すように、本発明の実施例１に係る携帯端末装置の第１面の下部には、第２表示部１２ｂと、操作部１３と、が設けられている。第２表示部１２ｂは、操作部１３を囲むように（すなわち、携帯端末装置の筐体として）設けられている。操作部１３は、複数のキーから構成されている。
【００１２】
図１（Ｂ）に示すように、本発明の実施例１に係る携帯端末装置の第２面の上部には、サブディスプレイ１１２と、第２表示部１２ｃと、が設けられている。第２表示部１２ｃは、サブディスプレイ１１２を囲むように（すなわち、携帯端末装置の筐体として）設けられている。たとえば、サブディスプレイ１１１は、液晶ディスプレイである。
【００１３】
図１（Ｂ）に示すように、本発明の実施例１に係る携帯端末装置の第２面の下部には、第２表示部１２ｄが設けられている。第２表示部１２ｄは、後述する電池（図示せず）を覆うように（すなわち、携帯端末装置の筐体として）設けられている。
【００１４】
図２に示すように、本発明の実施例１に係る第２表示部１２は、有機ＥＬパネル１２１と、透明部材１２２と、有色部材１２３と、を含む積層構造である。透明部材１２２は、ユーザが携帯端末装置を使用するときに触れる部分であって、有機ＥＬパネル１２１を保護するために設けられている。有色部材１２３は、有機ＥＬパネル１２１が何も表示していないときの筐体の外観を形成するために設けられている。たとえば、透明部材１２２は、透明なプラスチックである。たとえば、有色部材１２３は、所定の色または模様のプラスチックである。
【００１５】
図３に示すように、本発明の実施例１に係る携帯端末装置は、コントローラＬＳＩ（Ｌａｒｇｅ  Ｓｃａｌｅ  Ｉｎｔｅｇｒａｔｉｏｎ）１０と、第１表示部１１と、第２表示部１２と、操作部１３と、ＢＢ（Ｂｒｅａｄ  Ｂｏａｒｄ）−ＬＳＩ１４と、電池１５と、を備えている。コントローラＬＳＩ１０は、第１表示部１１、第２表示部１２、操作部１３、ＢＢ−ＬＳＩ１４、ならびに電池１５に接続されている。
【００１６】
図３に示すように、コントローラＬＳＩ１０は、メモリ１０１と、メモリコントローラ１０２と、メインコントローラ１０３と、ＰＬＬ（Ｐｈａｓｅ  Ｌｏｃｋｅｄ  Ｌｏｏｐ）１０４と、第１表示制御部１０５と、第２表示制御部１０６と、電源管理部１０７と、を備えている。メモリコントローラ１０２、メインコントローラ１０３、ＰＬＬ１０４、第１表示制御部１０５、第２表示制御部１０６、および電源管理部１０７は、それぞれバスを介して接続されている。
【００１７】
図３に示すように、メモリ１０１は、メモリコントローラ１０２に接続されている。また、メモリ１０１は、制御プログラム１０１ａ、画像データ１０１ｂ、ＲＧＢデータ１０１ｃ、および設定データ１０１ｄを含む様々なデータを記憶するようになっている。制御プログラム１０１ａは、メインコントローラ１０３の制御用アプリケーションプログラムである。画像データ１０１ｂは、第１表示部１１および第２表示部１２に表示する画像を含むデータである。ＲＧＢデータ１０１ｃは、第１表示部１１および第２表示部１２に表示する色を表現する３ビットの値である。設定データ１０１ｄは、第２表示部１２の表示方法に関する設定情報を含むデータである。画像データ１０１ｂ、ＲＧＢデータ１０１ｃ、および設定データ１０１ｄは、操作部１３によって受け付けられたユーザの指示に基づいてメインコントローラ１０３によって作成されるデータである。たとえば、メモリ１０１は、ＤＲＡＭ（Ｄｙｎａｍｉｃ  Ｒａｎｄｏｍ  Ａｃｃｅｓｓ  Ｍｅｍｏｒｙ）である。
【００１８】
図３に示すように、メモリコントローラ１０２は、メモリ１０１に接続されている。また、メモリコントローラ１０２は、メインコントローラ１０３、第１表示制御部１０５および第２表示制御部１０６からのリクエストに応じて、メモリ１０１に記憶されたデータの読み出しおよびメモリ１０１に対するデータの書き込みを行うようになっている。
【００１９】
図３に示すように、メインコントローラ１０３は、操作部１３およびＢＢ−ＬＳＩ１４に接続されている。また、メインコントローラ１０３は、メモリコントローラ１０２を介してメモリ１０１に記憶された制御プログラム１０１ａを起動することによって、本発明の実施例１に係る携帯端末装置を制御する制御部として機能するようになっている。また、制御部として機能するメインコントローラ１０３は、操作部１３からユーザの指示を入力し、その指示に基づいて携帯端末装置を制御するようになっている。たとえば、制御部として機能するメインコントローラ１０３は、ＢＢ−ＬＳＩ１４によって作成されたデータ（画像データ１０１ｂおよびＲＧＢデータ１０１ｃ）、ならびに操作部１３によって作成された設定データ１０１ｄを入力して、メモリコントローラ１０２を介してメモリ１０１に書き込む。
【００２０】
図３に示すように、ＰＬＬ１０４は、本発明の実施例１に係る携帯端末装置の入出力信号の周波数を制御するようになっている。
【００２１】
図３に示すように、第１表示制御部１０５は、メインディスプレイ１１１およびサブディスプレイ１１２を含む第１表示部１１に接続されている。また、第１表示制御部１０５は、第１表示部１１との間で双方向通信を行って、第１表示部１１を制御する。
【００２２】
図３に示すように、第２表示制御部１０６は、第２表示部１２に接続されている。また、また、第２表示制御部１０６は、第２表示部１２に対して単方向通信を行って、第２表示部１２を制御する。
【００２３】
図３に示すように、電源管理部１０７は、電池１５に接続されている。また、電源管理部１０７は、本発明の実施例１に係る携帯端末装置の電源のオン／オフの制御、パワーセーブモードへの移行、および電池残量の検知などを行うようになっている。
【００２４】
次に、本発明の実施例１に係る第１表示部１１および第２表示部１２の表示形態について図４乃至図６を参照して説明する。図４は、本発明の実施例１に係る第１表示制御部１０５と第１表示部１１の関係を示す概略図である。図５は、本発明の実施例１に係る第２表示制御部１０６と第２表示部１２の関係を示す概略図である。図６は、本発明の実施例１に係る第１表示部１１および第２表示部１２の表示例を示す概略図である。
【００２５】
図４に示すように、第１表示制御部１０５は、ＲＧＢ信号用端子と、制御信号用端子と、画像メモリ１０５ａおよび１０５ｂと、を備えている。メインディスプレイ１１１は、画像メモリ１１１ａと、液晶パネル１１１ｂと、を備えている。サブディスプレイ１１２は、画像メモリ１１２ａと、液晶パネル１１２ｂと、を備えている。たとえば、画像メモリ１０５ａ，１０５ｂ，１１１ａ，１１２ａは、ＳＲＡＭ（Ｓｔａｔｉｃ  Ｒａｎｄｏｍ  Ａｃｃｅｓｓ  Ｍｅｍｏｒｙ）である。第１表示制御部１０５は、メモリコントローラ１０２を介してメモリ１０１に記憶された画像データ１０１ｂを読み出し、メインディスプレイに表示するための画像データ１０１ｂを画像メモリ１０５ａに保持し、サブディスプレイ１１２に表示するための画像データ１０１ｂを画像メモリ１０５ｂに保持する。次に、第１表示制御部１０５は、画像メモリ１０５ａおよび１０５ｂに保持された画像データ１０１ｂを３ビットのＲＧＢ信号に変換し、複数の制御信号ＣＴＲＬ（たとえば、垂直同期信号ＶＳＹＮＣ、水平同期信号ＨＳＹＮＣ、クロック信号ＤＣＬＫ、書込信号ＷＳ、およびイネーブル信号ＤＥＮ）とともにパラレル信号としてメインディスプレイ１１１およびサブディスプレイ１１２に出力する。このとき、メインディスプレイ１１１およびサブディスプレイ１１２は、第１表示制御部１０５から出力されたＲＧＢ信号を画像メモリ１１１ａおよび１１２ａに保持して、複数の制御信号ＣＴＲＬに基づいて液晶パネル１１１ｂおよび１１２ｂに表示するとともに、画像メモリ１１１ａ，１１２ａおよび液晶パネル１１１ｂ，１１２ｂの状態（たとえば、画像メモリ１１１ａ，１１２ａの残り容量、液晶パネル１１１ｂ，１１２ｂに表示されている画像の位置を示す位置信号、および液晶パネル１１１ｂ，１１２ｂの表示と画像メモリ１１１ａ，１１２ａへの保持との間の同期を取るための同期信号など）を示す状態信号ＳＴＡを第１表示制御部１０５に出力する。その後、第１表示制御部１０５は、メインディスプレイ１１１およびサブディスプレイ１１２から出力された状態信号ＳＴＡに基づいて、次のＲＧＢ信号および制御信号ＣＴＲＬを出力する。
【００２６】
図５に示すように、第２表示制御部１０６は、ＲＧＢ信号用端子と、３ビットのＲＧＢデータ１０１ｃを記憶可能なレジスタ１０６ａと、を備えている。第２表示部１２は、図１に示す第２表示部１２ａ乃至１２ｄに対応する有機ＥＬパネル１２１ａ乃至１２１ｄおよびレジスタ１２４ａ乃至１２４ｄを備えている。第２表示制御部１０６は、メモリコントローラ１０２を介してメモリ１０１に記憶されたＲＧＢデータ１０１ｃを読み出して、レジスタ１０６ａに保持する。次に、第２表示制御部１０６は、レジスタ１０６ａに保持されたＲＧＢデータ１０１ｃをシリアル信号として第２表示部１２に出力する。次に、第２表示部１２は、第２表示制御部１０６から出力されたＲＧＢ信号をレジスタ１２４ａ乃至１２４ｄに保持して、有機ＥＬパネル１２１ａ乃至１２１ｄに表示する。
【００２７】
図６（Ａ）および（Ｂ）に示すように、レジスタ１２４ａ乃至１２４ｄに同じＲＧＢデータ１０１ｃが保持されるので、メインディスプレイ１１１には、所定の画像が表示され、サブディスプレイ１１２には、メインディスプレイ１１１に表示された画像とは異なる画像が表示され、第２表示部１２ａ乃至１２ｄには、ＲＧＢデータ１０１ｃによって表現された色が表示される。
【００２８】
なお、本発明の実施例１では、ＲＧＢデータ１０１ｃは、３ビットに限られない。
【００２９】
また、本発明の実施例１では、いわゆるクラムシェルタイプの携帯端末装置の例について説明したが、いわゆるキャンディタイプまたはスライドタイプの携帯端末装置についても適用可能である。
【００３０】
また、本発明の実施例１では、第１表示制御部１０５は、様々な画像を様々な表示形態で高速に表示することが求められるメインディスプレイ１１１との間で双方向通信を行い、単純な画像を単純な表示形態で表示することが求められるサブディスプレイ１１２との間で単方向通信を行っても良い。
【００３１】
本発明の実施例１によれば、携帯端末装置の筐体を構成する第２表示部１２にユーザが設定したＲＧＢデータ１０１ｃによって表現された色を表示するので、ユーザは、携帯端末装置の外観を自由に選択することができる。
【００３２】
また、本発明の実施例１によれば、第２表示部１２を有機ＥＬパネル１２１で実現するので、バックライトを必要とする液晶パネルで実現する場合に比べて、携帯端末装置の消費電力を低減することができる。特に、本発明の実施例１では、第２表示部１２は、携帯端末装置の筐体の色または模様を表示するために第１表示部１１に比べて長時間の表示を行うので、消費電力の低減は極めて重要である。
【００３３】
また、本発明の実施例１によれば、第１表示制御部１０５が、様々な画像を様々な表示形態で高速に表示する事が求められる第１表示部１１を制御するために双方向通信を行うのに対して、第２表示制御部１０６が、色または模様の表示または非表示が求められる第２表示部１２を制御するために単方向通信を行うので、第２表示部１２および第２表示制御部１０６のハードウェア規模を縮小することができる。その結果、本発明の実施例１に係る携帯端末装置の製造コストが減少する。
【実施例２】
【００３４】
次に、本発明の実施例２について説明する。本発明の実施例２は、筐体を構成する複数の有機ＥＬモジュールのそれぞれに異なる色または模様を表示する携帯端末装置の例である。なお、本発明の実施例１と同様の内容についての説明は省略する。
【００３５】
まず、本発明の実施例２に係る第１表示部１１および第２表示部１２の表示形態について図７乃至図９を参照して説明する。図７は、本発明の実施例２に係る第２表示制御部１０６と第２表示部１２の関係を示す概略図である。図８および図９は、本発明の実施例２に係る第１表示部１１および第２表示部１２の表示例を示す概略図である。
【００３６】
図７に示すように、第２表示制御部１０６は、ＲＧＢ信号用端子と、制御信号用端子と、３ビットのＲＧＢデータ１０１ｃを記憶可能なレジスタ１０６ａと、を備えている。第２表示部１２は、図１に示す第２表示部１２ａ乃至１２ｄに対応する有機ＥＬパネル１２１ａ乃至１２１ｄおよびレジスタ１２４ａ乃至１２４ｄを備えている。第２表示制御部１０６は、メモリコントローラ１０２を介してメモリ１０１に記憶されたＲＧＢデータ１０１ｃおよび設定データ１０１ｄを読み出して、ＲＧＢデータ１０１ｃをレジスタ１０６ａに保持する。次に、第２表示制御部１０６は、設定データ１０１ｄに基づいて、レジスタ１０６ａに保持されたＲＧＢデータ１０１ｃおよび制御信号ＣＴＲＬ（たとえば、チップ選択信号ＣＳ、レジスタ選択信号ＲＳ、および書込信号ＷＳ）をシリアル信号として第２表示部１２に出力する。次に、第２表示部１２は、第２表示制御部１０６から出力されたＲＧＢ信号をレジスタ１２４ａ乃至１２４ｄに保持して、有機ＥＬパネル１２１ａ乃至１２１ｄに表示する。
【００３７】
図８（Ａ）および（Ｂ）に示すように、設定データ１０１ｄが、第２表示部１２ｂと第２表示部１２ａ、１２ｃ、および１２ｄとで異なる色を表示するための設定情報を含んでいる場合には、レジスタ１２４ａ、１２４ｃ、および１２４ｄに第１色を表現するＲＧＢデータ１０１ｃが保持され、レジスタ１２４ｂに第２色を表現するＲＧＢデータ１０１ｃが保持されるので、メインディスプレイ１１１には、所定の画像が表示され、サブディスプレイ１１２には、メインディスプレイ１１１に表示された画像とは異なる画像が表示され、第２表示部１２ａ、１２ｃ、および１２ｄには、ＲＧＢデータ１０１ｃによって表現された第１色が表示され、第２表示部１２ｂには、ＲＧＢデータ１０１ｃによって表現された第２色が表示される。
【００３８】
図９（Ａ）および（Ｂ）に示すように、設定データ１０１ｄが、第２表示部１２ａおよび１２ｂと第２表示部１２ｃおよび１２ｄとで異なる色を表示するための設定情報を含んでいる場合には、レジスタ１２４ａおよび１２４ｂに第１色を表現するＲＧＢデータ１０１ｃが保持され、レジスタ１２４ｃおよび１２４ｄに第２色を表現するＲＧＢデータ１０１ｃが保持されるので、メインディスプレイ１１１には、所定の画像が表示され、サブディスプレイ１１２には、メインディスプレイ１１１に表示された画像とは異なる画像が表示され、第２表示部１２ａおよび１２ｂにＲＧＢデータ１０１ｃによって表現された第１色が表示され、第２表示部１２ｃおよび１２ｄにＲＧＢデータ１０１ｃによって表現された第２色が表示される。
【００３９】
本発明の実施例２によれば、第２表示制御部１０６が、第２表示部１２に関する設定情報を含む設定データ１０１ｃに基づいて第２表示部１２を制御するので、第２表示部１２ａ乃至１２ｄのそれぞれに異なる色または模様を表示することができる。
【実施例３】
【００４０】
次に、本発明の実施例３について説明する。本発明の実施例３は、筐体を構成する複数の有機ＥＬモジュールに所定の画像を表示する携帯端末装置の例である。なお、本発明の実施例１および実施例２と同様の内容についての説明は省略する。
【００４１】
まず、本発明の実施例３に係る第１表示部１１および第２表示部１２の表示形態について図１０および図１１を参照して説明する。図１０は、本発明の実施例３に係る第１表示制御部１０５および第２表示制御部１０６と第１表示部１１および第２表示部１２の関係を示す概略図である。図１１は、本発明の実施例３に係る第１表示部１１および第２表示部１２の表示例を示す概略図である。
【００４２】
図１０に示すように、本発明の実施例３に係る第１表示制御部１０５は、本発明の実施例１と同様の構成を備えている。
【００４３】
図１０に示すように、第２表示制御部１０６は、ＲＧＢ信号用端子、制御信号用端子、および画像データ１０１ｂを記憶可能な画像メモリ１０６ｂを備えている。第２表示部１２は、図１に示す第２表示部１２ａ乃至１２ｄに対応する有機ＥＬパネル１２１ａ乃至１２１ｄと、有機ＥＬパネル１２１ａ乃至１２１ｄのそれぞれに表示する画像データ１０１ｂを記憶する画像メモリ１２５と、を備えている。たとえば、画像メモリ１０６ｂおよび１２５は、ＳＲＡＭである。第２表示制御部１０６は、メモリコントローラ１０２を介してメモリ１０１に記憶された画像データ１０１ｂおよび設定データ１０１ｄを読み出して、画像データ１０１ｂを画像メモリ１０６ｂに保持する。次に、第２表示制御部１０６は、設定データ１０１ｄに基づいて、画像メモリ１０６ｂに保持された画像データ１０１ｂを３ビットのＲＧＢ信号に変換し、複数の制御信号ＣＴＲＬ（たとえば、チップ選択信号ＣＳ、レジスタ選択信号ＲＳ、および書込信号ＷＳ）とともにパラレル信号として第２表示部１２に出力する。次に、第２表示部１２は、第２表示制御部１０６から出力されたＲＧＢ信号を画像メモリ１２５に保持して、有機ＥＬパネル１２１ａ乃至１２１ｄに表示する。
【００４４】
図１１（Ａ）および（Ｂ）に示すように、設定データ１０１ｄが、第２表示部１２ａ、１２ｂ、および１２ｄに何も表示せず、第２表示部１２ｃとメインディスプレイ１１１とで同じ画像を表示するための設定情報を含んでいる場合には、画像メモリ１２５にメインディスプレイ１１１と同じ画像を表現する画像データ１０１ｂが保持されるので、メインディスプレイ１１１には、所定の画像が表示され、サブディスプレイ１１２には、メインディスプレイ１１１に表示された画像とは異なる画像が表示され、第２表示部１２ｃには、メインディスプレイ１１１と同じ画像が表示される。このとき、第２表示部１２ａ、１２ｂ、および１２ｄには何も表示されないので、第２表示部１２ａ、１２ｂ、および１２ｄの下層に設けられている有色基板１２３の色または模様が筐体の色または模様となる。
【００４５】
なお、本発明の実施例３では、メインディスプレイ１１１がタッチパネルをさらに備え、メインコントローラ１０３は、ユーザがタッチペンを用いてタッチパネルに描いた画像を表現する画像データ１０１ｂを記憶部１０１に記憶しても良い。
【００４６】
本発明の実施例３によれば、第２表示制御部１０６および第２表示部１２が、画像データ１０１ｂを保持する画像メモリ１０６ｂおよび１２５を備えているので、第１表示部１１に表示される画像と同様の画像を第２表示部１２に表示することができる。
【図面の簡単な説明】
【００４７】
【図１】本発明の実施例１に係る携帯端末装置の外観を示す斜視図である。
【図２】本発明の実施例１に係る第２表示部１２の概略を示す概略図である。
【図３】本発明の実施例１に係る携帯端末装置の機能構成を示すブロック図である。
【図４】本発明の実施例１に係る第１表示制御部１０５と第１表示部１１の関係を示す概略図である。
【図５】本発明の実施例１に係る第２表示制御部１０６と第２表示部１２の関係を示す概略図である。
【図６】本発明の実施例１に係る第１表示部１１および第２表示部１２の表示例を示す概略図である。
【図７】本発明の実施例２に係る第２表示制御部１０６と第２表示部１２の関係を示す概略図である。
【図８】本発明の実施例２に係る第１表示部１１および第２表示部１２の表示例を示す概略図である。
【図９】本発明の実施例２に係る第１表示部１１および第２表示部１２の表示例を示す概略図である。
【図１０】本発明の実施例３に係る第１表示制御部１０５および第２表示制御部１０６と第１表示部１１および第２表示部１２の関係を示す概略図である。
【図１１】本発明の実施例３に係る第１表示部１１および第２表示部１２の表示例を示す概略図である。
【符号の説明】
【００４８】
１０  コントロール基板
１０１  メモリ
１０２  メモリコントローラ
１０３  メインコントローラ
１０４  ＰＬＬ
１０５  第１表示制御部
１０６  第２表示制御部
１１  第１表示部
１１１  メインディスプレイ
１１２  サブディスプレイ
１２  第２表示部
１３  操作部
１４  ＢＢ−ＬＳＩ
１５  電池
【図１】
2010068076.tif 000003
【図２】
2010068076.tif 000004
【図３】
2010068076.tif 000005
【図４】
2010068076.tif 000006
【図５】
2010068076.tif 000007
【図６】
2010068076.tif 000008
【図７】
2010068076.tif 000009
【図８】
2010068076.tif 000010
【図９】
2010068076.tif 000011
【図１０】
2010068076.tif 000012
【図１１】
2010068076.tif 000013